(57)【要約】【課題】ドアの施錠を不正に開錠しようとして強力な引張りがドアやドアのノブにかかっても防犯機能が損なわれることのない引張りロック付き防犯構造の電磁石錠を提供する。【解決手段】建物のドア開口壁部に取付ける電磁石とドアに取付けるプレートを有し、前記電磁石を保持した電磁石体１，１が、弾性質座金３，３を介在させて支持ボルト４，４で取付け支持され、電磁石で吸着された前記プレート５の引張りにより前記弾性質座金３，３を縮ませて電磁石体１，１を僅かに移動させ、該僅かな移動を検出スイッチ６で検出して警報を発するようにすると共に、電磁石体１，１と一体に形成された継ぎブロック１Ａに、鋼球７Ａ，７Ａ，・・・を配設したソケット７を出入可能に嵌合させて取付固定し、プレート５の吸着面には、ソケット７に挿入される凹み段付きのプラグ９を突設して、前記電磁石体１，１の僅かな移動が、一定の移動距離でロックされるようにする。【選択図】図１
0003135033.tif 000002
【実用新案登録請求の範囲】
【請求項１】
建物のドア開口壁部に取付ける電磁石とドアに取付けるプレートを有し、前記電磁石を保持した電磁石体が、弾性質座金を介在させて取付けられ、電磁石により吸着された前記プレートの引張りにより前記弾性質座金を縮ませて電磁石体を僅かに移動させ、該僅かな移動を検出スイッチで検出して警報を発するようにした電磁石錠において、前記電磁石体の僅かな移動が、一定の移動距離でロックされるように構成されてなることを特徴とする引張りロック付き防犯構造の電磁石錠。
【請求項２】
複数の鋼球を配設したソケットを電磁石体と一体に形成された継ぎブロックに出入可能に嵌合させ、該ソケットを嵌合させた電磁石体の背部が、電磁石体を収納したケースの背面板に弾性質座金を介在させて移動可能に支持されると共に、前記ソケットの後端を前記ケースの背面板に固定し、凹み段を有するプラグを、電磁石で吸着されるプレートに突設して、吸着されたプレートの引張りにより電磁石体の僅かな移動が一定の移動距離でロックされるように構成されてなることを特徴とする請求項１記載の引張りロック付き防犯構造の電磁石錠。
【請求項３】
凹み段を有するプラグが、電磁石で吸着されるプレートの吸着面に、偏心自在にして突設されてなることを特徴とする請求項２記載の引張りロック付き防犯構造の電磁石錠。
【考案の詳細な説明】
【技術分野】
【０００１】
本考案は、不正開錠される危険性がなく、且つドアやドアのノブ、及び防犯機能が損なわれたりするのを未然に防止することのできる引張りロック付き防犯構造の電磁石錠に関する。
【背景技術】
【０００２】
鍵穴に鍵を差し込んでタンブラーを作動させ、回すことによりデッドボルト等の施錠部材を進退させて施開錠する錠（錠前）は、鍵穴からピッキングされたり、デッドボルト等の施錠部材が切断されたり、破壊されたりして不正開錠される危険性がある。
又、鍵穴からのピッキングやデッドボルト等の施錠部材の切断や破壊による不正開錠を防止するため、鍵穴やデッドボルト等の施錠部材を必要としない、通電による強力な電磁石による吸着力で施錠するようにした電磁石錠装置や防犯扉は知られている。（例えば、特許文献１，特許文献２参照）
【０００３】
【特許文献１】特開２００４−２４５０４１号公報
【特許文献２】特開２００３−１８４３７０号公報
【考案の開示】
【考案が解決しようとする課題】
【０００４】
しかしながら、上記特許文献１，特許文献２に記載される従来の電磁石錠装置や防犯扉は、鍵穴やデッドボルト等の施錠部材は要せず、ピッキングや施錠部材の切断、破壊により不正開錠される危険性はないが、ドアやドアのノブ（取手）を強力に引張って不正に開錠しようとする余り、ドアやノブが破壊される問題点があった。
【０００５】
上記問題点に鑑み、本考案者は先に実用新案登録第３１３０６９０号公報にて防犯機能付き電磁石錠を提示しているが、ドアやドアのノブ（取手）に強力な引張りが繰返しかかると、弾性質座金が変形して弾性質座金の弾性力による復帰機能が果せなくなり、防犯機能が損なわれるおそれがあった。
従って本考案は、強力な引張りがドアやドアのノブに繰返しかかっても弾性質座金が変形しないようにして、防犯機能が損なわれないようにした引張りロック付き防犯構造の電磁石錠を提供することを目的とし、該目的を達成することを課題とするものである。
【課題を解決するための手段】
【０００６】
上記目的を達成するために、以下に記載するような手段を講じてなる引張りロック付き防犯構造の電磁石錠とした。すなわち、
（１）建物のドア開口壁部に取付ける電磁石と、ドアに取付けるプレートを有し、前記電磁石を保持した電磁石体が、弾性質座金を介在させて取付けられ、電磁石により吸着された前記プレートの引張りにより前記弾性質座金を縮ませて電磁石体を僅かに移動させ、該僅かな移動を検出スイッチで検出して警報を発するようにした電磁石錠において、前記電磁石体の僅かな移動が、一定の移動距離でロックされるように構成されてなることを特徴とする引張りロック付き防犯構造の電磁石錠。
（２）複数の鋼球を配設したソケットを電磁石体と一体に形成された継ぎブロックに出入可能に嵌合させ、該ソケットを嵌合させた電磁石体の背部が、電磁石体を収納したケースの背面板に弾性質座金を介在させて移動可能に支持されると共に、前記ソケットの後端を前記ケースの背面板に固定し、凹み段を有するプラグを、電磁石で吸着されるプレートに設けて、吸着されたプレートの引張りにより電磁石体の僅かな移動が一定の移動距離でロックされるように構成されてなることを特徴とする前項（１）記載の引張りロック付き防犯構造の電磁石錠。
（３）凹み段を有するプラグが、電磁石で吸着されるプレートの吸着面に、偏心自在にして突設されてなることを特徴とする前項（２）記載の引張りロック付き防犯構造の電磁石錠。
【考案の効果】
【０００７】
上記手段にて記載するように本考案は、建物のドア開口壁部に取付ける電磁石とドアに取付けるプレートを有し、電磁石を保持した電磁石体が、弾性質座金を介在させて取付けられ、電磁石により吸着されたプレートの引張りにより弾性質座金を縮ませて電磁石体を僅かに移動させ、該僅かな移動を検出スイッチで検出して警報を発するようにした電磁石錠において、前記電磁石体の僅かな移動が、一定の移動距離でロックされるように構成されたものであるから、ドアやドアのノブに強力な引張りが繰返しかかっても、弾性質座金の圧縮が弾性限界以内でロックされて変形が阻止され、防犯機能が損なわれるのを防止するのに効果を奏する。
【０００８】
又、複数の鋼球を配設したソケットを電磁石体と一体に形成された継ぎブロックに出入可能に嵌合させ、該ソケットを嵌合させた電磁石体の背部を、電磁石体を収納したケースの背面板に弾性質座金を介在させて移動可能に支持すると共に、ソケットの後端を前記ケースの背面板に固定し、凹み段を有するプラグを電磁石で吸着されるプレートに突設して構成し、プラグがプレートの吸着面に偏心自在にして突設されることにより、片端部が蝶番で支持され、蝶番を枢軸としたドアの回動による開閉において、プラグがソケットにスムーズに挿入されるのに効果を奏する。
【考案を実施するための最良の形態】
【０００９】
本考案を実施するための最良の形態について、以下に記載する実施例にて図面を参照して詳細に説明する。なお、本実施例は、本考案を実施するための最良の形態であるが、必ずしも本考案はこれに限定されるものではない。
【実施例１】
【００１０】
図１は、本考案の実施例を示す図面であり、（Ａ）は長手方向の側断面図、（Ｂ）は（Ａ）におけるＡ−Ａ断面図である。図示するように、本考案は、電磁石を保持した電磁石体１，１の背部が、電磁石体を収納したケース２の背面板２ａに弾性質座金３，３を介在させて支持ボルト４，４により取付け支持され、電磁石により吸着されたプレート５の引張りにより弾性質座金３，３を縮ませて電磁石体１，１を引張り方向に僅かに移動させ、該僅かな移動を検出スイッチ６で検出して警報を発するように構成されており、電磁石体１，１は継ぎブロック１Ａにより一体に形成され、継ぎブロック１Ａの中心部にはソケット７が出入可能に嵌合されていて、ソケット７の後端が前記ケース２の背面板２ａに皿ボルト８により取付け固定されている。ソケット７には、プレート５の吸着面に穿設させて取付けられたプラグ９を挿入するための挿入穴７ａが設けてあり、該挿入穴の周囲にはプラグ９をロックするための複数の鋼球７Ａ，７Ａ，・・・が配設されていて、プラグ９の凹み段９ａへ出入自在となっている。
【００１１】
電磁石を埋設した電磁石体１，１がケース２に収納されて組立てられた状態の斜視図は図２に示すとおりで、継ぎブロック１Ａで継ぎ合わされて一体に形成された電磁石体１，１には、電磁石１ａ，１ａ，・・・が面一にして埋設されており、継ぎブロック１Ａの中心部にソケット７が設けてある。電磁石体１，１の端面にはブロック板１０，１０が当接されて取付けられ、ケース２の下面には取付板１１が取付けられて、上面からの穿設穴２ｂ，２ｂを通してボルト等で取付けられるようにしてあり、ケース２の背部や長手方向片側部のスペースには、電磁石１ａ，１ａ，・・・及び検出スイッチ６への配線基板１２，１２ａ等が組み込まれるようにし、コントロールボックスからの配線材を通す穴２ｃが穿設してある。
なお、前記電磁石１ａ，１ａ，・・・は、鉄等の非絶縁体に埋設する場合は、絶縁体を介して埋設するのが望ましく、前記ケース２やブロック板１０等は、アルミ等の非磁性体で製作されるのが望ましい。
【００１２】
電磁石１ａ，１ａ，・・・により吸着されるプレート５を斜視図で表わすと図３に示すとおりで、一般的には短冊状の厚板プレートの中心部吸着面にプラグ９が穿設され、裏側にドア等に取付けるための取付ボルト１３と止めピン１４，１４が突設されてなる。プレート５は前記電磁石１ａ，１ａ，・・・で吸着させるため、鉄等の磁性体で製作されるのが望ましい。
【００１３】
前記プラグ９は、先端を半球状に形成して凹み段９ａを設けたプラグであって、該凹み段９ａに、前記ソケット７の挿入穴に配設された鋼球７Ａ，７Ａ，・・・が入り込むことにより引張り移動がロックされる硬質の金属製プラグである。該プラグは、ソケット７の挿入穴に垂直に挿入される場合は、取付け位置が固定されていても良いが、片端部が蝶番で支持され、該蝶番を枢軸としたドアの回動による開閉の場合は、ソケット７の挿入穴にプラグ９がスムーズに挿入されない。
【００１４】
ソケット７の挿入穴にプラグ９がスムーズに挿入されるようにするために、前記プレート５の中心部吸着面にプラグ９を偏心自在に突設してドアに取付けられるようにする。その実施形態を図４にて説明すると、プレート５の吸着面に垂直に大径の螺子穴５ａを穿設し、該螺子穴に、吸着面とその反対側から円盤状の押え螺子盤５Ａ，５Ｂをねじ込んで面一になるようにし、吸着面よりねじ込む押え螺子盤５Ａは、プラグ径Ｄより僅かに大きい径の穴５ｂと、プラグ９のフランジ部９ｃより大きい穴５ｃを設けて、プラグ９の凹み段９ｂと押え螺子盤５Ａの穴５ｂ、及びプラグ９のフランジ部９ｃと押え螺子盤５Ａの穴５ｃとの隙間の範囲でプラグ９が偏心自在になるようにプラグ９のフランジ部９ｃが押え螺子盤５Ａで偏心自在に押えられて、突設されている。一方、反対側からねじ込む押え螺子盤５Ｂには、ドアに取付けるための取付ボルト１３の皿状の頭部に合わせて加工されたテーパ穴部５ｄが形成されていて、取付ボルト１３の頭面とプラグ９のフランジ部９ｃの下面が当接するようにしてある。
【００１５】
次に、本考案の動作機能について、長手方向要部側断面を示す図５にて説明する。図５の（ａ）は、プレート５が電磁石体１，１の面に当接して閉じられた状態で、ソケット７に配設された鋼球７Ａ，７Ａ，・・・は、ソケット７の挿入穴７ａの内径より内側へ出張らないように継ぎブロック１Ａの逃し穴１ｂへ移動してロックフリーの状態である。継ぎブロック１Ａに埋め金１Ｂを埋設して、該埋め金に逃し穴１ｂが設けられているが、焼入れされた硬い鋼球７Ａ，７Ａ，・・・の作動において摩耗しないように配慮されているもので、継ぎブロック１Ａが鋼球７Ａ，７Ａ，・・・の硬さに対応できる材料であれば埋め金１Ｂを埋設する必要はない。
【００１６】
上記図５の（ａ）の状態で、電磁石体１，１に埋設した電磁石１ａ，１ａ，・・・（図２）に通電し、プレート５を吸着した状態（施錠された状態）で、図５の（ｂ）に示す矢印の方向に前記プレート５を強力に引張ると、一体に形成された電磁石体１，１と継ぎブロック１Ａも引張られ、弾性質座金３を介在させて電磁石体１，１に取付けられた支持ボルト４も同時に引張られるから、弾性質座金３は縮み、ケース２の背面板２ａと、電磁石体１，１の背面とに僅かな移動Ｓが生じ、該移動を検出スイッチ６で検出して警報が発せられるようにしてある。
【００１７】
吸着されたプレート５が前記僅かな移動Ｓ以上に強力に繰返し引張られると、前記弾性質座金３は、弾性限界を越えて変形し、弾性力による復帰機能が不能となり、防犯機能が果せなくなるから、前記僅かな移動Ｓの移動距離以上に引張られないようにロックして止めるようにする。すなわち、ソケット７の後端は、ケース２の背面板２ａに皿ボルト８により固定され、プレート５を矢印方向に引張ると一体に形成された電磁石体１，１と継ぎブロック１Ａも引張られ、継ぎブロック１Ａに埋設された埋め金１Ｂの逃し穴１ｂのテーパー部１ｃで鋼球７Ａ，７Ａ，・・・は、ソケット７の挿入穴７ａの内側へ押されて、プラグ９の凹み段９ａに入り込み、前記僅かな移動Ｓの移動距離でロックされて、それ以上の移動が止められる。
【００１８】
前記プレート５の矢印方向の引張りがなくなると、弾性質座金３の弾性力により、一体に形成された電磁石体１，１と継ぎブロック１Ａは引き戻されて元の状態に復位し、電磁石体１，１に埋設した電磁石への通電を止めるとプレート５の吸着が解除された状態（開錠された状態）となり、プレート５の開閉はフリーとなる。
【００１９】
前記弾性質座金３は、一般的には、弾力性のある金属板を皿状に形成して中心に支持ボルト３を挿通させる穴を穿設したものを重ね合わせて用いるが、これに限定されるものではなく、例えば円形に形成して中心に前記支持ボルトを挿通させる穴を穿設した硬質ゴムや、市販されたバネ座金等を使用することもできる。要するに通常のドアの開閉による引張りでは縮まない程度の弾力性を有するものであれば良い。
【００２０】
以上のようにしてなる本考案の取付例を図６に示す。継手ブロック１Ａと一体に形成された電磁石体を収納したケース２が建物の開口壁部１５に取付板１１を介して取付けられ、プラグ９を突設したプレート５がドア１６の片端部に取付ボルト１３により取付けられている。ドア１６が木質材の場合は、埋め金１３Ａを埋め込んで取付けるのが望ましい。
【００２１】
プレート５を取付けたドア１６の反対側（外側）には、ドア１６を開閉するためのノブ（取手）１７が取付けられ、該ノブ（取手）を取付けた別端は蝶番１８により、前記電磁石体を収納して取付けられたケース２の開口壁部１５と対向する開口壁部１５Ａに取付けられている取付例である。
【００２２】
蝶番１８により取付け支持されているドア１６は、蝶番１８を枢軸とする回動によるドアの開閉となるから、図７の（ａ）に示すようにプレート５に突設されたプラグ９の先端が、ソケット７の挿入穴７ａの挿入口に挿入される時点では、挿入穴７ａに対して垂直ではなく若干傾いた状態で挿入される。
【００２３】
そして、前記プラグ９の先端が、ソケット７の挿入穴７ａの奥へ挿入されるにつれ、挿入穴７ａに対してプラグ９は垂直に矯正され、矯正されるにつれてプラグ９は偏心し、図７の（ｂ）に示すような（偏心Ｈ）状態となり、プラグ９は、プレート５の吸着面に偏心自在にして突設しないと、ドア１６の開閉はスムーズに行われない。
【図面の簡単な説明】
【００２４】
【図１】本考案の実施例を示す図面で、（Ａ）は長手方向の側断面図、（Ｂ）は（Ａ）におけるＡ−Ａ断面図である。
【図２】電磁石を埋設した電磁石体がケースに収納されて組立てられた状態の斜視図である。
【図３】電磁石により吸着されるプレートの斜視図である。
【図４】プレートの吸着面にプラグを突設した実施形態を示す要部断面図である。
【図５】動作機能を説明するための長手方向要部側断面図である。
【図６】取付例を示す断面図である。
【図７】ソケットの挿入穴へのプラグ挿入動態を示す要部断面図である。
【符号の説明】
【００２５】
１  電磁石体
１Ａ  継ぎブロック
１Ｂ，１３Ａ  埋め金
１ａ  電磁石
１ｂ  逃し穴
１ｃ  テーパー部
２  ケース
２ａ  背面板
２ｂ  穿設穴
２ｃ，５ｂ，５ｃ  穴
３  弾性質座金
４  支持ボルト
５  プレート
５Ａ，５Ｂ  押え螺子盤
５ａ  螺子穴
５ｄ  テーパー穴部
６  検出スイッチ
７  ソケット
７Ａ  鋼球
７ａ  挿入穴
８  皿ボルト
９  プラグ
９ａ，９ｂ  凹み段
９ｃ  フランジ部
１０  ブロック板
１１  取付板
１２，１２ａ  配線基板
１３  取付ボルト
１４  止めピン
１５，１５Ａ  開口壁部
１６  ドア
１７  ノブ（取手）
１８  蝶番
【図１】
0003135033.tif 000003
【図２】
0003135033.tif 000004
【図３】
0003135033.tif 000005
【図４】
0003135033.tif 000006
【図５】
0003135033.tif 000007
【図６】
0003135033.tif 000008
【図７】
0003135033.tif 000009